(57)【特許請求の範囲】
【請求項１】
情報を表示する表示手段と、
上記表示手段を照明する照明手段と、
操作手段と、
上記操作手段の操作に基づいて上記照明手段を点灯或いは消灯する点灯消灯手段と、
上記照明手段の点灯時間或いは消灯時間を計時する計時手段と、
上記点灯消灯手段が上記照明手段を消灯してから上記操作手段が操作されるまでの上記計時手段の消灯時間の計時結果に基づいて、上記操作手段の操作に基づいて上記点灯消灯手段により点灯される次回の上記照明手段による照明時間を変える制御手段と、
を具備したことを特徴とする表示装置。
【請求項２】
情報を表示する表示手段と、
上記表示手段を照明する照明手段と、
上記照明手段を点灯或いは消灯する点灯消灯手段と、
上記照明手段の点灯時間を制御する点灯制御手段と、
操作することにより上記点灯消灯手段が上記照明手段を点灯する点灯開始手段と、
上記点灯開始手段が操作されている時間を計時する操作計時手段と、
上記操作計時手段の出力に応じて、上記点灯制御手段による点灯時間を変える制御手段と、
を具備したことを特徴とする表示装置。
【発明の詳細な説明】
【０００１】
【発明の属する技術分野】
本発明は、カメラなどの電子装置における、照明機能付の表示装置に関するものである。
【０００２】
【従来の技術】
従来、液晶などを用いた表示装置を内蔵し、そこにカメラの状態（シャッタースピード、絞り値、撮影モード等）や被写体の状況（距離等）を表示するようにしているカメラが一般に知られている。
【０００３】
しかし、液晶表示などでは、夜間など暗いところではその表示が見ずらくなるので、表示部を照明する装置も内蔵しているカメラが知られている。
【０００４】
このような照明機能が付いた表示装置では、電力を消費するので、省エネの観点からも、照明を点灯した後適当な時間が経過したところで消灯するのが良い。ここで適切な点灯時間はどれくらいかと言う問題が出てくる。
【０００５】
特開平１１−１０２１７３号公報には、表示部に表示している文字数に応じて、照明の点灯時間を制御し、表示している文字数が少なければ点灯時間を短くし、表示している文字数が多ければ点灯時間を長くすることによって、無駄な点灯時間を少なくして、適切な点灯時間を設定することが述べられている。
【０００６】
【発明が解決しようとする課題】
しかしながら、表示部の表示内容を読むだけならば上記公知例の方法でも良いが、この表示部以外にメモ用紙や取扱説明書等を見ながらこの表示部を見ている場合は、照明の点灯時間をもっと長くする必要がある。しかし単に点灯時間を長くしただけでは消費電力を無駄に使い、また表示内容に合わせた点灯時間のままでは何度も点灯し直さなければならず操作が煩雑であるという問題がある。
【０００７】
そこで、本発明は上記の問題に鑑み、カメラなどの電子装置の操作者にとって最適な時間で点灯し、かつ無駄な消費電力を低減することも可能な照明機能付の表示装置を提供することを目的とするものである。
【０００８】
【課題を解決するための手段】
請求項１の発明による表示装置は、情報を表示する表示手段と、上記表示手段を照明する照明手段と、操作手段と、上記操作手段の操作に基づいて上記照明手段を点灯或いは消灯する点灯消灯手段と、上記照明手段の点灯時間或いは消灯時間を計時する計時手段と、上記点灯消灯手段が上記照明手段を消灯してから上記操作手段が操作されるまでの上記計時手段の消灯時間の計時結果に基づいて、上記操作手段の操作に基づいて上記点灯消灯手段により点灯される次回の上記照明手段による照明時間を変える制御手段と、を具備したことを特徴とする。
【０００９】
請求項１の発明によれば、上記照明手段を消灯してからの消灯時間の長短に応じて、次に点灯した時の上記照明手段による照明時間を変えるよう構成したので、例えば表示の照明手段を消灯した後直ぐに再び点灯したときは点灯時間が長くなるように制御することができ、何度も点灯させる手間が少なくなり、且つ、適切な点灯時間で点灯することができる。
【００１０】
請求項２の発明による表示装置は、情報を表示する表示手段と、上記表示手段を照明する照明手段と、上記照明手段を点灯或いは消灯する点灯消灯手段と、上記照明手段の点灯時間を制御する点灯制御手段と、操作することにより上記点灯消灯手段が上記照明手段を点灯する点灯開始手段と、上記点灯開始手段が操作されている時間を計時する操作計時手段と、上記操作計時手段の出力に応じて、上記点灯制御手段による点灯時間を変える制御手段と、を具備したことを特徴とする表示装置。
【００１１】
請求項２の発明によれば、上記点灯開始手段が操作されている時間を計測する操作計時手段の出力に応じて、上記照明手段の点灯時間を変えるよう構成したので、例えば点灯開始手段による操作時間が長いときは照明手段による点灯時間が長くなるように制御することができ、何度も点灯させる手間が少なくなり、且つ、適切な点灯時間で点灯することができる。また、点灯開始手段による操作時間を短くすると、点灯時間が短くなるので、むやみに電力を浪費することが無い。
【００１２】
【発明の実施の形態】
発明の実施の形態について図面を参照して説明する。
〔第１の実施の形態〕図１は本発明の第１の実施の形態の表示装置の構成を示すブロック図である。本実施の形態では、カメラの表示装置について説明する。
【００１３】
図１において、制御手段１は表示装置全体の各種の制御を司るもので、後述の点灯消灯手段４による点灯後の点灯時間を制御する機能を有している。
【００１４】
表示手段２はカメラに関する情報即ちカメラの状態（シャッタースピード、絞り値、撮影モード等）を表示する。
【００１５】
照明手段３は表示手段２を照明して、夜間など暗いところでも表示を見やすくするためのものである。
【００１６】
点灯消灯手段４は図示しない操作手段の操作或いは上記制御手段１からの指示に基づき、照明手段３を点灯、或いは消灯する。
【００１７】
計時手段５は照明手段３の点灯時間、或いは消灯時間を計時する。
【００１８】
上記の制御手段１は、上記照明手段３を点灯後、上記点灯消灯手段４を制御し上記照明手段３を消灯してからの上記計時手段５の計時結果（経過時間）に応じて、次回に照明手段３を点灯したときの照明手段３による点灯時間（照明時間）を変えるよう制御することが可能である。
【００１９】
次に、図２及び図３を参照して、上記の制御手段１の動作例を説明する。この動作例では、制御手段１は、点灯消灯手段４により照明手段３が消灯後、所定時間Ｔｃ経過したか否かを常時判定し、所定時間Ｔｃ経過後に点灯消灯手段４により再び照明手段３が点灯を開始した場合は、その点灯時間は通常の点灯時間Ｔａに設定する。一方、所定時間Ｔｃ経過前に点灯消灯手段４により再び照明手段３が点灯を開始した場合は、その点灯時間は上記の点灯時間Ｔａよりも長い所定時間Ｔｂ（Ｔｂ＞Ｔａ）に設定する。
【００２０】
図２は、第１の実施の形態における、消灯後、所定時間Ｔｃ経過した後に点灯した場合のタイミング図を示す。図中、Ｐ０１〜Ｐ０５は時間軸上の経過時刻を示している。
【００２１】
図示しない操作手段の操作に基づき、点灯消灯手段４により照明手段３の点灯が開始されると（Ｐ０１）、計時手段５は点灯時間の計時を始める。そして、計時手段５が通常の点灯時間Ｔａを計時すると、点灯消灯手段４により照明手段３が消灯される（Ｐ０２）。消灯されると計時手段５は消灯時間の計時を始める。そして、図示しない操作手段の操作に基づき、点灯消灯手段４により再び照明手段３の点灯が開始される時（Ｐ０４）、計時手段５の消灯後の計時結果が所定時間Ｔｃを経過していたとする（Ｐ０３）。この場合、再点灯の開始（Ｐ０４）後は、前述したように制御手段１により照明手段３の点灯時間は通常の時間Ｔａに設定される。そして、計時手段５が通常の点灯時間Ｔａを計時すると、点灯消灯手段４により照明手段３が消灯されることになる（Ｐ０５）。
【００２２】
図３は、第１の実施の形態における、消灯後、所定時間経過する前に点灯した場合のタイミング図を示す。図中、Ｐ１１〜Ｐ１５は時間軸上の経過時刻を示している。図３のＰ１１，Ｐ１２，Ｐ１３のタイミング関係は図２のＰ０１，Ｐ０２，Ｐ０３のタイミングと一致している。
【００２３】
図示しない操作手段の操作に基づき、点灯消灯手段４により照明手段３の点灯が開始されると（Ｐ１１）、計時手段５は点灯時間の計時を始める。そして、計時手段５が通常の点灯時間Ｔａを計時すると、点灯消灯手段４により照明手段３が消灯される（Ｐ１２）。消灯されると計時手段５は消灯時間の計時を始める。そして、図示しない操作手段の操作に基づき、点灯消灯手段４により再び照明手段３の点灯が開始される時（Ｐ１４）、計時手段５の消灯後の計時結果が所定時間Ｔｃを経過していなかったとする。この場合、再点灯の開始（Ｐ１４）後は、前述したように制御手段１により照明手段３の点灯時間は通常よりも長い点灯時間Ｔｂ（Ｔｂ＞Ｔａ）に設定される。そして、計時手段５がその点灯時間Ｔｂを計時すると、点灯消灯手段４により照明手段３が消灯されることになる（Ｐ１５）。
【００２４】
以上説明したように本発明の第１の実施の形態によると、表示部の照明を消灯した後直ぐに再び（所定時間Ｔｃ経過前に）点灯すると図３の如く点灯時間が長くなるので、何度も点灯させる手間が少なくなり、且つ、操作者にとって適切な点灯時間で点灯することができる。また、表示部の照明を消灯した後所定時間Ｔｃを経過してから再び点灯すると図２の如く点灯時間は通常の点灯時間と変わらないので、むやみに電力を浪費することが無い。
【００２５】
〔第２の実施の形態〕
図４は本発明の第２の実施の形態の表示装置の構成を示すブロック図である。本実施の形態では、第１の実施の形態と同様、カメラの表示装置について説明する。
【００２６】
図４において、制御手段１は表示装置全体の各種の制御を司るもので、後述の操作計時手段８の出力に応じて後述の点灯制御手段６による点灯時間を変えるよう制御する機能を有している。
【００２７】
表示手段２はカメラに関する情報即ちカメラの状態（シャッタースピード、絞り値、撮影モード等）を表示する。
【００２８】
照明手段３は表示手段２を照明して、夜間など暗いところでも表示を見やすくするためのものである。
【００２９】
点灯消灯手段４は点灯開始手段７の操作に基づき、照明手段３を点灯、或いは消灯する。
【００３０】
点灯制御手段６は照明手段３の点灯時間を計時する。
【００３１】
点灯開始手段７はこれを操作することにより点灯消灯手段４が照明手段３を点灯する。
【００３２】
操作計時手段８は点灯開始手段７を操作している時間、或いは操作していない時間を計時する。
【００３３】
上記の制御手段１は、上記操作計時手段８の操作時間或いは非操作時間の出力に応じて、上記点灯制御手段６によって計時される点灯時間（照明時間）を変えるよう制御することが可能である。
【００３４】
次に、図５及び図６を参照して、上記の制御手段１の動作例を説明する。この動作例では、制御手段１は、点灯開始手段７による操作開始後、操作時間Ｔαが所定時間Ｔω経過したか否かを判定し、操作時間Ｔαが所定の操作時間Ｔωより短い場合は、そのときの点灯時間を通常の点灯時間Ｔａに設定する。一方、操作時間Ｔβが所定の操作時間Ｔωより長い場合は、そのときの点灯時間を上記の点灯時間Ｔａよりも長い所定時間Ｔｂ（Ｔｂ＞Ｔａ）に設定する。
【００３５】
図５は、第２の実施の形態の、操作時間が短い場合のタイミング図を示す。図５（ａ）は点灯開始手段７による操作時間、図５（ｂ）は照明手段３による点灯時間を示している。図中、Ｐ２１〜Ｐ２３は時間軸上の経過時刻を示している。
【００３６】
点灯開始手段７を操作することにより点灯消灯手段４が照明手段３の点灯を開始するのと同時に、操作計時手段８が操作時間の計時を始める（Ｐ２１）。操作が終わると操作計時手段８は操作時間の計時を終え、操作時間Ｔαを出力する（Ｐ２２）。操作時間Ｔαは所定の操作時間Ｔωよりも短いので、前述したように制御手段１により照明手段３の点灯時間は通常の時間Ｔａに設定される。そして、点灯制御手段６が通常の点灯時間Ｔａを計時した時点で、点灯消灯手段４が照明手段３を消灯することになる（Ｐ２３）。
【００３７】
図６は、第２の実施の形態の、操作時間が所定時間Ｔωより長い場合のタイミング図を示す。図６（ａ）は点灯開始手段７による操作時間、図６（ｂ）は照明手段３による点灯時間を示している。図中、Ｐ３１〜Ｐ３３は時間軸上の経過時刻を示している。
【００３８】
点灯開始手段７を操作することにより点灯消灯手段４が照明手段３の点灯を開始するのと同時に、操作計時手段８が操作時間の計時を始める（Ｐ３１）。操作が終わると操作計時手段８は操作時間の計時を終え、操作時間Ｔβを出力する（Ｐ３２）。操作時間Ｔβは所定の操作時間Ｔωよりも長いので、前述したように制御手段１により照明手段３の点灯時間は通常よりも長い点灯時間Ｔｂ（Ｔｂ＞Ｔａ）に設定される。そして、点灯制御手段６が通常よりも長い点灯時間Ｔｂを計時した時点で、点灯消灯手段４が照明手段３を消灯することになる（Ｐ３３）。
【００３９】
以上説明したように本発明の第２の実施の形態によると、操作者が所定時間Ｔωより長く操作すると図６の如く長時間点灯するので、何度も点灯させる手間が少なくなり、且つ、操作者にとって適切な点灯時間で点灯することができる。また、所定時間Ｔωより短く操作すると図５の如く短時間点灯するので、むやみに電力を浪費することが無い。
【００４０】
尚、以上述べた本発明の実施の形態では、カメラの表示装置について説明したが、本発明はカメラの状態を表示する表示装置に限定されることなく、携帯可能な電子装置例えば携帯電話や電子手帳などの表示装置に対しても応用することが可能である。
【００４１】
〔付記〕
（付記１）
情報を表示する表示手段と、
上記表示手段を照明する照明手段と、
上記照明手段を点灯或いは消灯する点灯消灯手段と、
上記照明手段の点灯時間或いは消灯時間を計時する計時手段と、
を有した表示装置において、
上記点灯消灯手段が上記照明手段を消灯してからの上記計時手段の計時結果に基づいて、次回の上記照明手段による照明時間を変えることを特徴とする表示装置。
【００４２】
（付記２）
情報を表示する表示手段と、
上記表示手段を照明する照明手段と、
上記照明手段を点灯或いは消灯する点灯消灯手段と、
上記照明手段の点灯時間を制御する点灯制御手段と、
操作することにより上記点灯消灯手段が上記照明手段を点灯する点灯開始手段と、
上記点灯開始手段が操作されている時間或いは操作されていない時間を計時する操作計時手段と、
を有した表示装置において、
上記操作計時手段の出力に応じて、上記点灯制御手段による点灯時間を変えることを特徴とする表示装置。
【００４３】
（付記３）
上記点灯消灯手段が上記照明手段を消灯してから上記点灯消灯手段が上記照明手段を点灯するまでの時間に応じて、上記点灯消灯手段が上記照明手段を消灯するまでの時間を通常よりも短く又は長くすることを特徴とする付記１記載の表示装置。
【００４４】
（付記４）
上記計時手段による消灯時間が所定時間範囲内又は範囲外の場合は、上記点灯消灯手段が上記照明手段を消灯するまでの時間を変えることを特徴とする付記１記載の表示装置。
【００４５】
（付記５）
上記計時手段による消灯時間が所定時間範囲内又は範囲外であることが連続して所定回繰り返された場合は、上記点灯消灯手段が上記照明手段を消灯するまでの時間を変えることを特徴とする付記１記載の表示装置。
【００４６】
（付記６）
上記操作計時手段の出力が所定時間範囲内又は範囲外の場合は、上記点灯制御手段による点灯時間を変えることを特徴とする付記２記載の表示装置。
【００４７】
（付記７）
上記操作計時手段の出力が所定時間範囲内又は範囲外であることが連続して所定回繰り返された場合は、上記点灯制御手段による点灯時間を変えることを特徴とする付記２記載の表示装置。
【００４８】
（付記８）
上記照明手段が点灯中又は消灯中に上記点灯開始手段が操作された場合、上記点灯制御手段による点灯時間を変えることを特徴とする付記２記載の表示装置。
【００４９】
（付記９）
上記照明手段が点灯中又は消灯中に上記点灯開始手段が操作された場合、上記操作計時手段の出力に応じて、上記点灯制御手段による点灯時間を変えることを特徴とする付記２記載の表示装置。
【００５０】
【発明の効果】
以上述べたように本発明によれば、電子装置の操作者にとって最適な時間だけ表示装置を点灯することができ、むやみに電力を浪費することが無い照明機能付の表示装置を実現することができる。
【図面の簡単な説明】
【図１】本発明の第１の実施の形態の表示装置の構成を示すブロック図。
【図２】第１の実施の形態の、消灯後、所定時間経過後に点灯した場合のタイミング図。
【図３】第１の実施の形態の、消灯後、所定時間経過前に点灯した場合のタイミング図。
【図４】本発明の第２の実施の形態の表示装置の構成を示すブロック図。
【図５】第２の実施の形態の、操作時間が短い場合のタイミング図。
【図６】第２の実施の形態の、操作時間が長い場合のタイミング図。
【符号の説明】
２…表示手段
３…照明手段
４…点灯消灯手段
５…計時手段
６…点灯制御手段
７…点灯開始手段
８…操作計時手段
Ｔａ…通常の点灯時間
Ｔｂ…通常よりも長い点灯時間
Ｔｃ…消灯後の所定時間
Ｔα…短い操作時間
Ｔβ…長い操作時間
Ｔω…所定の操作時間
【図１】
0004632482.tif 000002
【図２】
0004632482.tif 000003
【図３】
0004632482.tif 000004
【図４】
0004632482.tif 000005
【図５】
0004632482.tif 000006
【図６】
0004632482.tif 000007